(57)【要約】【課題】発光素子およびリフレクタがヒートシンクに支持された灯具ユニットにおいて、給電アタッチメントがヒートシンクに取り付けられた構成となっていても、灯具ユニットの左右幅寸法を小さく抑えた上で給電アタッチメントに対して給電用配線のコネクタを容易に接続可能とする。【解決手段】給電アタッチメント３０の構成として、その左右２箇所においてヒートシンク２２に締結された構成とした上で、この給電アタッチメント３０のコネクタ部３２ｄが上記左右２箇所の締結位置の内側においてリフレクタ１６の後端位置よりもユニット後方側まで延びるように形成された構成とする。これにより、灯具ユニット１０の左右幅寸法を小さく抑えた上で、リフレクタ１６の後方空間を利用して給電アタッチメント３０と給電用配線のコネクタとの接続作業を容易に行えるようにする。【選択図】図４
2020184444.tif 000002
【特許請求の範囲】
【請求項１】
発光素子と、この発光素子からの出射光をユニット前方へ向けて反射させるリフレクタと、上記発光素子および上記リフレクタを支持するヒートシンクと、を備えた灯具ユニットにおいて、
上記発光素子に電力を供給するための給電アタッチメントが上記ヒートシンクに取り付けられており、
上記給電アタッチメントは、該給電アタッチメントの左右２箇所において上記ヒートシンクに締結されており、
上記給電アタッチメントのコネクタ部は、上記左右２箇所の締結位置の内側において、上記リフレクタの後端位置よりもユニット後方側まで延びるように形成されている、ことを特徴とする灯具ユニット。
【請求項２】
上記コネクタ部は、ユニット後方へ向けて開口するように形成されている、ことを特徴とする請求項１記載の灯具ユニット。
【請求項３】
上記コネクタ部は、上記リフレクタの後端位置よりもユニット後方側において上記リフレクタ側に張り出すように形成されている、ことを特徴とする請求項１または２記載の灯具ユニット。
【請求項４】
上記コネクタ部は、上記左右２箇所の締結位置の中心位置に形成されている、ことを特徴とする請求項１〜３いずれか記載の灯具ユニット。
【請求項５】
上記リフレクタは、該リフレクタの左右２箇所において上記ヒートシンクに締結されており、かつ、該リフレクタにおける上記左右２箇所の締結位置よりもユニット後方側に位置する部位に、上記ヒートシンクに当接する当接部が形成されている、ことを特徴とする請求項１〜４いずれか記載の灯具ユニット。
【請求項６】
上記発光素子は、上記ヒートシンクの上面に搭載されており、
上記ヒートシンクの上面は、上記発光素子を搭載している領域がユニット後方へ向けて下方側に傾斜した傾斜面で構成されている、ことを特徴とする請求項１〜５いずれか記載の灯具ユニット。
【発明の詳細な説明】
【技術分野】
【０００１】
本願発明は、発光素子およびリフレクタがヒートシンクに支持された灯具ユニットに関するものである。
【背景技術】
【０００２】
従来より、発光素子とこの発光素子からの出射光をユニット前方へ向けて反射させるリフレクタとを備えた灯具ユニットの構成として、発光素子およびリフレクタがヒートシンクに支持されたものが知られている。
【０００３】
「特許文献１」には、このような灯具ユニットの構成として、発光素子に電力を供給するための給電アタッチメントがヒートシンクに取り付けられたものが記載されている。
【０００４】
この「特許文献１」に記載された給電アタッチメントは、その左右２箇所においてヒートシンクに締結された構成となっており、また、その左右方向の端部にコネクタ部が形成された構成となっている。
【０００５】
一方「特許文献２」には、このような灯具ユニットの給電アタッチメントの構成として、その左右２箇所のヒートシンクへの締結位置の内側にコネクタ部が形成されたものが記載されている。
【先行技術文献】
【特許文献】
【０００６】
【特許文献１】特開２０１４−１９７５５０号公報
【特許文献２】特開２０１４−１７２７４号公報
【発明の概要】
【発明が解決しようとする課題】
【０００７】
上記「特許文献１」に記載された灯具ユニットにおいては、ヒートシンクに対するリフレクタの支持が給電アタッチメントのコネクタ部と干渉しない状態で行われるようにするために、灯具ユニットの左右幅寸法をある程度大きくする必要がある。
【０００８】
一方「特許文献２」に記載された灯具ユニットは、給電アタッチメントのコネクタ部が左右２箇所の締結位置の内側に形成されているが、この給電アタッチメントはコネクタ部がユニット前方側を向くように形成されているので、灯具ユニットの構成によっては給電アタッチメントに対して給電用配線のコネクタを接続することが困難となっている。
【０００９】
例えば、灯具ユニットがリフレクタを備えたプロジェクタ型の灯具ユニットである場合には、給電アタッチメントよりもユニット前方側に投影レンズやソレノイド、シェード等のユニット構成部品が配置されるため、コネクタ部がユニット前方側を向くように形成されていると、給電アタッチメントに対して給電用配線のコネクタを接続することが困難となるばかりでなく、灯具ユニットの前後長を短くすることも困難となる。
【００１０】
本願発明は、このような事情に鑑みてなされたものであって、発光素子およびリフレクタがヒートシンクに支持された灯具ユニットにおいて、給電アタッチメントがヒートシンクに取り付けられた構成となっていても、灯具ユニットの左右幅寸法を小さく抑えた上で給電アタッチメントに対して給電用配線のコネクタを容易に接続することができる灯具ユニットを提供することを目的とするものである。
【課題を解決するための手段】
【００１１】
本願発明は、給電アタッチメントの構成に工夫を施すことにより、上記目的達成を図るようにしたものである。
【００１２】
すなわち、本願発明に係る灯具ユニットは、
発光素子と、この発光素子からの出射光をユニット前方へ向けて反射させるリフレクタと、上記発光素子および上記リフレクタを支持するヒートシンクと、を備えた灯具ユニットにおいて、
上記発光素子に電力を供給するための給電アタッチメントが上記ヒートシンクに取り付けられており、
上記給電アタッチメントは、該給電アタッチメントの左右２箇所において上記ヒートシンクに締結されており、
上記給電アタッチメントのコネクタ部は、上記左右２箇所の締結位置の内側において、上記リフレクタの後端位置よりもユニット後方側まで延びるように形成されている、ことを特徴とするものである。
【００１３】
上記「リフレクタ」は、直接ヒートシンクに支持されていてもよいし、他の部材を介してヒートシンクに支持されていてもよい。
【００１４】
上記「給電アタッチメント」は、該給電アタッチメントの左右２箇所においてヒートシンクに締結されていれば、その具体的な締結位置は特に限定されるものではなく、また、その具体的な締結方法についても特に限定されるものではなく、例えばネジ締めやカシメ等が採用可能である。
【００１５】
上記「コネクタ部」は、左右２箇所の締結位置の内側においてリフレクタの後端位置よりもユニット後方側まで延びるように形成されていれば、その具体的な形成位置やその開口の向き等については特に限定されるものではない。
【発明の効果】
【００１６】
本願発明に係る灯具ユニットは、発光素子およびリフレクタを支持するヒートシンクに給電アタッチメントが取り付けられた構成となっており、その際、給電アタッチメントはその左右２箇所においてヒートシンクに締結されているが、この給電アタッチメントのコネクタ部は左右２箇所の締結位置の内側においてリフレクタの後端位置よりもユニット後方側まで延びるように形成されているので、次のような作用効果を得ることができる。
【００１７】
すなわち、給電アタッチメントにおける左右方向の端部にコネクタ部が形成されている場合に比して、給電アタッチメントの左右幅寸法を小さくすることができるので、ヒートシンクに対するリフレクタの支持を給電アタッチメントのコネクタ部と干渉しない状態で行うことが容易に可能となり、これにより灯具ユニットの左右幅寸法を小さく抑えることができる。
【００１８】
その上で、給電アタッチメントは、そのコネクタ部がリフレクタの後端位置よりもユニット後方側まで延びるように形成されているので、リフレクタの後方空間を利用して給電用配線のコネクタとの接続作業を容易に行うことができる。
【００１９】
このように本願発明によれば、発光素子およびリフレクタがヒートシンクに支持された灯具ユニットにおいて、給電アタッチメントがヒートシンクに取り付けられた構成となっていても、灯具ユニットの左右幅寸法を小さく抑えた上で給電アタッチメントに対して給電用配線のコネクタを容易に接続することができる。
【００２０】
しかも本願発明のように、給電アタッチメントのコネクタ部がリフレクタの後端位置よりもユニット後方側まで延びるように形成された構成とすることにより、給電アタッチメントに対して給電用配線のコネクタを接続する際、給電アタッチメントのコネクタ部を押さえた状態で接続作業を行うことができる。したがって、この接続作業の際にリフレクタが不用意に押さえられてしまうことによって、リフレクタの位置が所期の位置からずれてしまうのを未然に防止することができる。
【００２１】
上記構成において、さらに、給電アタッチメントのコネクタ部がユニット後方へ向けて開口するように形成された構成とすれば、給電用配線のコネクタとの接続作業を一層容易に行うことが可能となる。
【００２２】
上記構成において、さらに、給電アタッチメントのコネクタ部が、リフレクタの後端位置よりもユニット後方側においてリフレクタ側に張り出すように形成された構成とすれば、次のような作用効果を得ることができる。
【００２３】
すなわち、上記左右２箇所の締結位置の内側に給電アタッチメントのコネクタ部が位置している場合には、このコネクタ部との干渉を回避するための凹部をヒートシンクに形成することが必要となる。一方、ヒートシンクにおいて上記左右２箇所の締結位置の内側に位置する部位は発光素子にも近いので、発光素子の点灯によって発生する熱を放散させる必要性が高い。そこで、給電アタッチメントのコネクタ部を、リフレクタの後端位置よりもユニット後方側においてリフレクタ側に張り出すように形成された構成とすることにより、コネクタ部との干渉を回避するためにヒートシンクに形成される凹部を浅いものとすることあるいはこの凹部を形成不要とすることができる。そしてこれにより、上記左右２箇所の締結位置の内側にコネクタ部が配置されることによってヒートシンクの放熱機能が低下してしまうのを効果的に抑制することができる。
【００２４】
上記構成において、さらに、給電アタッチメントのコネクタ部が、左右２箇所の締結位置の中心位置に形成された構成とすれば、例えばヘッドランプ等の車両用灯具のように左右１対の灯具ユニットが用いられるような場合であっても、両灯具ユニット相互間で給電アタッチメントを共通化することが容易に可能となる。
【００２５】
ここで上記「中心位置」とは、左右２箇所の締結位置の中心を通るようにしてユニット前後方向に延びる鉛直面と交差する位置を意味するものである。
【００２６】
上記構成において、さらに、リフレクタがその左右２箇所においてヒートシンクに締結された構成とした上で、その左右２箇所の締結位置よりもユニット後方側に位置する部位に、ヒートシンクに当接する当接部が形成された構成とすれば、ヒートシンクによるリフレクタの支持を３点支持構造によって行うことができ、これによりリフレクタの位置決め精度を高めることができる。
【００２７】
その際、上記「当接部」の具体的な形成位置や具体的な形状等は特に限定されるものではない。
【００２８】
上記構成において、さらに、発光素子がヒートシンクの上面に搭載された構成とした上で、このヒートシンクの上面における発光素子を搭載している領域がユニット後方へ向けて下方側に傾斜した傾斜面で構成されたものとすれば、その傾斜分だけ灯具ユニットの前後長を短くすることができる。また、このような構成を採用することにより、発光素子からの出射光のリフレクタへの入射効率を高めることが可能となる。
【図面の簡単な説明】
【００２９】
【図１】本願発明の一実施形態に係る灯具ユニットを備えた車両用灯具を示す側断面図
【図２】上記灯具ユニットを示す平面図
【図３】図１のIII 部詳細図
【図４】図３のIV方向矢視図
【図５】図４のＶ方向矢視図
【図６】上記実施形態の第１変形例を示す、図３と同様の図
【図７】上記実施形態の第２変形例を示す、図３と同様の図
【発明を実施するための形態】
【００３０】
以下、図面を用いて、本願発明の実施の形態について説明する。
【００３１】
図１は、本願発明の一実施形態に係る灯具ユニット１０を備えた車両用灯具１００を示す側断面図である。また、図２は、灯具ユニット１０を示す平面図である。
【００３２】
これらの図において、Ｘで示す方向が「ユニット前方」であり、Ｙで示す方向が「ユニット前方」と直交する「左方向」（ユニット正面視では「右方向」）であり、Ｚで示す方向が「上方向」である。これら以外の図においても同様である。
【００３３】
車両用灯具１００は、車両の前端部に設けられるヘッドランプであって、ランプボディ１０２と透光カバー１０４とで形成される灯室内に、灯具ユニット１０がその前後方向（すなわちユニット前後方向）を車両前後方向と一致させるように光軸調整が行われた状態で収容された構成となっている。
【００３４】
灯具ユニット１０は、投影レンズ１２と、この投影レンズ１２の後側焦点Ｆよりもユニット後方側に配置された発光素子１４と、この発光素子１４を上方側から覆うように配置され、該発光素子１４からの出射光を投影レンズ１２へ向けて反射させるリフレクタ１６と、発光素子１４と投影レンズ１２との間に配置された可動シェード１８とを備えた構成となっている。
【００３５】
投影レンズ１２は、前面が凸面で後面が平面の平凸非球面レンズであって、ユニット前後方向に延びる光軸Ａｘを有している。そして、この投影レンズ１２は、その後側焦点Ｆを含む焦点面である後側焦点面上に形成される光源像を、反転像として灯具前方の仮想鉛直スクリーン上に投影するようになっている。
【００３６】
図３は、図１のIII 部詳細図である。また、図４は、図３のIV方向矢視図であり、図５は、図４のＶ方向矢視図である。
【００３７】
これらの図にも示すように、発光素子１４は白色発光ダイオードであって、横長矩形状の発光面１４ａを有している。そして、この発光素子１４は、その発光面１４ａを光軸Ａｘの下方において上向きにした状態で、光源支持部材２０を介してヒートシンク２２に支持されている。
【００３８】
このヒートシンク２２の上面２２ａにおいて光源支持部材２０が支持されている光源支持領域２２ａ１は、その周辺領域に対して上方側に突出した状態で平面状に形成されている。この光源支持領域２２ａ１は、その周辺領域と共にユニット後方へ向けて下方側に傾斜した傾斜面で構成されており、これにより発光素子１４の発光面１４ａは斜め上後方を向いた状態で配置されている。
【００３９】
ヒートシンク２２の上面２２ａには、発光素子１４に電力を供給するための給電アタッチメント３０が取り付けられている（これについては後述する）。
【００４０】
リフレクタ１６は、その反射面１６ａが発光素子１４の発光中心を第１焦点とする略楕円面状の曲面で構成されている。この反射面１６ａは、その長軸に沿った鉛直断面形状が後側焦点Ｆのやや前方に位置する点を第２焦点とする楕円形状に設定されており、その離心率が鉛直断面から水平断面へ向けて徐々に大きくなるように設定されている。このリフレクタ１６は、その左右両側部においてヒートシンク２２に支持されている（これについても後述する）。
【００４１】
一方、投影レンズ１２は、その外周フランジ部においてレンズホルダ２４に支持されている。
【００４２】
このレンズホルダ２４は、投影レンズ１２を支持するホルダ本体２４Ａと、このホルダ本体２４Ａの左右両側部からユニット後方へ延びるように形成された左右１対のアーム部２４Ｂと、これら左右１対のアーム部２４Ｂの後端部を連結する連結部２４Ｃとを備えている。その際、左右１対のアーム部２４Ｂは、その後端部において光軸Ａｘ側に折れ曲がるように形成されており、また、連結部２４Ｃは、リフレクタ１６を略円弧状に囲むように形成されている。そして、このレンズホルダ２４は、その左右１対のアーム部２４Ｂの後端部近傍部位においてヒートシンク２２に取り付けられている（これについても後述する）。
【００４３】
図１に示すように、可動シェード１８は、光軸Ａｘの下方において左右方向に延びる回動ピン２６を介してヒートシンク２２に回動可能に支持されている。この可動シェード１８は、その前端部からユニット後方へ向けて斜め上方へ延びるように形成されており、その上端縁１８ａは左右段違いで水平方向に延びるように形成されている。
【００４４】
そして、この可動シェード１８は、ヒートシンク２２に支持されたアクチュエータ２８の駆動により、投影レンズ１２へ向かうリフレクタ１６からの反射光の一部を遮光する遮光位置（図１において実線で示す位置）と、この遮光位置から下方側へ所定角度回動して上記遮光を解除する遮光解除位置（図１において２点鎖線で示す位置）とを採り得るようになっている。このアクチュエータ２８は、ヒートシンク２２にネジ締め固定によって支持されており、図示しないビーム切換えスイッチの操作が行われたときに駆動するようになっている。
【００４５】
図４に示すように、発光素子１４を支持する光源支持部材２０は、平面視において横長矩形状の外形形状を有しており、その上面における発光素子１４の左右両側の位置には、発光素子１４のカソード電極およびアノード電極とそれぞれ電気的に接続された左右１対の端子部２０ａが配置されている。
【００４６】
給電アタッチメント３０は、光源支持部材２０を囲むように形成された絶縁部材３２に対して、発光素子１４との電気的導通を図るための左右１対のバスバー電極３４が、それぞれ一部を露出させた状態で埋設されたインサート成形品として構成されている。
【００４７】
絶縁部材３２は、平面視において横長矩形状の外形形状を有する板状部材であって、その左右方向の中心位置には横長矩形状の開口部３２ａが形成されている。
【００４８】
この絶縁部材３２は、その左右両側部から水平方向に突出する左右１対のフランジ部３２ｂを備えており、各フランジ部３２ｂにおいてネジ４０の締付けによりヒートシンク２２の上面２２ａに固定されている。その際、ヒートシンク２２の上面２２ａには左右１対の位置決めピン２２ｂが形成されており、絶縁部材３２の左右１対のフランジ部３２ｂには、左右１対の位置決めピン２２ｂと係合する係合孔３２ｃがそれぞれ形成されている。左右１対の係合孔３２ｃは、一方が円形状に形成されており、他方が横長矩形状に形成されている。
【００４９】
左右１対のバスバー電極３４は、開口部３２ａに突出する左右２対の端子片３４ａを備えており、これらが光源支持部材２０の左右１対の端子部２０ａに当接することによって発光ダイオード２２と電気的に接続されるようになっている。
【００５０】
また、左右１対のバスバー電極３４は、開口部３２ａに突出する前後２対の押え片３４ｂを備えており、これらが光源支持部材２０の上面に当接することによって発光ダイオード２２が振動等によりヒートシンク２２から浮かないように構成されている。
【００５１】
その際、各端子片３４ａおよび各押え片３４ｂは、光源支持部材２０を上方側から弾性的に押圧する弾性片として構成されている。
【００５２】
絶縁部材３２は、その後部からユニット後方へ向けて突出するコネクタ部３２ｄを備えている。
【００５３】
このコネクタ部３２ｄは、リフレクタ１６の後端位置よりもユニット後方側まで延びるように形成されており、ユニット後方へ向けて開口している。その際、このコネクタ部３２ｄは、絶縁部材３２とヒートシンク２２との左右２箇所の締結位置の中心位置（すなわち光軸Ａｘの真下の位置）に形成されている。また、このコネクタ部３２ｄは、リフレクタ１６の後端位置よりもユニット後方側において上下両側に張り出すように形成されている。
【００５４】
このコネクタ部３２ｄの上壁部には、ユニット前後方向に延びる矩形孔３２ｄ１が形成されており、また、このコネクタ部３２ｄの左右両側壁部には、矩形状の凹部３２ｄ２が形成されている。
【００５５】
このコネクタ部３２ｄの内部空間には、左右１対のバスバー電極３４の端子ピン３４ｃがユニット後方へ向けて突出している。左右１対の端子ピン３４ｃは、各々が板状に形成されており、かつ、その板面が鉛直方向に対してユニット後方側に傾斜した上下方向（すなわち左右１対の端子ピン３４ｃが並んでいる第１方向と直交する第２方向）を向くように配置されている。そして、このコネクタ部３２ｄの内部空間に給電用配線のコネクタ（図示せず）が挿入されて、その矩形孔３２ｄ１および左右１対の凹部３２ｄ２と嵌合することにより、給電アタッチメント３０と給電用配線とが電気的に接続されるようになっている。
【００５６】
ヒートシンク２２は、その後端位置がコネクタ部３２ｄの後端縁と略同じ位置となるように形成されている。また、このヒートシンク２２の後端部の上面２２ａ（すなわち給電アタッチメント３０が載置されている面）には、コネクタ部３２ｄの下端部の形状に沿った形状を有する凹部２２ａ２が形成されている。さらに、このヒートシンク２２の後部領域には、複数の放熱フィン２２ｃが下方へ向けて延びるようにして形成されている。
【００５７】
図４に示すように、リフレクタ１６は、その左右両側部の下端位置から水平方向に平板状に突出する左右１対のフランジ部１６ｂを備えており、各フランジ部１６ｂにおいてネジ４２の締付けによりレンズホルダ２４と共にヒートシンク２２の上面２２ａに固定されている。
【００５８】
その際、ヒートシンク２２の上面２２ａにおいてリフレクタ１６が取り付けられる部位は、図５に示すように上面２２ａの他の部位よりも上方側に突出した左右１対の上方突出面２２ａ３として形成されている。また、レンズホルダ２４における左右１対のアーム部２４Ｂの後端部近傍部位には、リフレクタ１６の左右１対のフランジ部１６ｂを載置するための左右１対の載置面２４Ｂａが形成されている。これら左右１対の載置面２４Ｂａは、ユニット後方へ向けて下方側に傾斜した傾斜面で構成されており、その傾斜角度はヒートシンク２２の上面２２ａ（左右１対の上方突出面２２ａ３を含む）の傾斜角度と同じ値に設定されている。
【００５９】
これら左右１対の載置面２４Ｂａには、左右１対の位置決めピン２４ｂが形成されている。一方、リフレクタ１６の左右１対のフランジ部１６ｂには、左右１対の位置決めピン２４ｂと係合する係合孔１６ｃがそれぞれ形成されている。左右１対の係合孔１６ｃは、一方が円形状に形成されており、他方が横長長円形に形成されている。
【００６０】
なお、リフレクタ１６の左右１対のフランジ部１６ｂには左右１対のネジ挿通孔１６ｄが形成されており、レンズホルダ２４の左右１対の載置面２４Ｂａには左右１対のネジ挿通孔２４ｄが形成されているが、これらも、一方が円形状に形成されており、他方が横長長円形に形成されている。
【００６１】
図４および５に示すように、リフレクタ１６には、ヒートシンク２２に対する左右２箇所の締結位置よりもユニット後方側に位置する部位に、ヒートシンク２２に当接する当接部１６ｅが形成されている。この当接部１６ｅは、ヒートシンク２２の凹部２２ａ２の左側近傍位置において、リフレクタ１６の下端部からユニット後方へ延びた後に下方へ向けて延びる突起部として形成されており、ヒートシンク２２の上面２２ａに当接するように構成されている。
【００６２】
また、図１に示すように、ヒートシンク２２の上面２２ａにおける左右１対の上方突出面２２ａ３の前端部には、レンズホルダ２４に当接する当接部２２ｄがそれぞれ形成されている。
【００６３】
これら左右１対の当接部２２ｄは、上方へ向けて延びる突起部として形成されており、レンズホルダ２４の左右１対のアーム部２４Ｂの下面に当接するように構成されている。
【００６４】
次に本実施形態の作用について説明する。
【００６５】
本実施形態に係る灯具ユニット１０は、発光素子１４およびリフレクタ１６を支持するヒートシンク２２に給電アタッチメント３０が取り付けられた構成となっており、その際、給電アタッチメント３０はその左右２箇所においてヒートシンク２２に締結されているが、この給電アタッチメント３０のコネクタ部３２ｄは左右２箇所の締結位置の内側においてリフレクタ１６の後端位置よりもユニット後方側まで延びるように形成されているので、次のような作用効果を得ることができる。
【００６６】
すなわち、給電アタッチメント３０における左右方向の端部にコネクタ部３２ｄが形成されている場合に比して、給電アタッチメント３０の左右幅寸法を小さくすることができるので、ヒートシンク２２に対するリフレクタ１６の支持を給電アタッチメント３０のコネクタ部３２ｄと干渉しない状態で行うことが容易に可能となり、これにより灯具ユニット１０の左右幅寸法を小さく抑えることができる。
【００６７】
その上で、給電アタッチメント３０は、そのコネクタ部３２ｄがリフレクタ１６の後端位置よりもユニット後方側まで延びるように形成されているので、リフレクタ１６の後方空間を利用して給電用配線のコネクタとの接続作業を容易に行うことができる。
【００６８】
このように本実施形態によれば、発光素子１４およびリフレクタ１６がヒートシンク２２に支持された灯具ユニット１０において、給電アタッチメント３０がヒートシンク２２に取り付けられた構成となっていても、灯具ユニット１０の左右幅寸法を小さく抑えた上で給電アタッチメント３０に対して給電用配線のコネクタを容易に接続することができる。
【００６９】
しかも本実施形態のように、給電アタッチメント３０のコネクタ部３２ｄがリフレクタ１６の後端位置よりもユニット後方側まで延びるように形成された構成とすることにより、給電アタッチメント３０に対して給電用配線のコネクタを接続する際、給電アタッチメント３０のコネクタ部３２ｄを押さえた状態で接続作業を行うことができる。したがって、この接続作業の際にリフレクタ１６が不用意に押さえられてしまうことによって、リフレクタ１６の位置が所期の位置からずれてしまうのを未然に防止することができる。
【００７０】
その際、本実施形態においては、給電アタッチメント３０のコネクタ部３２ｄがユニット後方へ向けて開口するように形成されているので、給電用配線のコネクタとの接続作業を一層容易に行うことが可能となる。
【００７１】
また本実施形態においては、給電アタッチメント３０のコネクタ部３２ｄが、リフレクタ１６の後端位置よりもユニット後方側において上下両側に張り出すように（すなわちリフレクタ１６側にも張り出すように）形成されているので、次のような作用効果を得ることができる。
【００７２】
すなわち、上記左右２箇所の締結位置の内側に給電アタッチメント３０のコネクタ部３２ｄが位置している場合には、このコネクタ部３２ｄとの干渉を回避するための凹部２２ａ２をヒートシンク２２に形成することが必要となる。一方、ヒートシンク２２において上記左右２箇所の締結位置の内側に位置する部位は発光素子１４にも近いので、発光素子１４の点灯によって発生する熱を放散させる必要性が高い。そこで、給電アタッチメント３０のコネクタ部３２ｄを、リフレクタ１６の後端位置よりもユニット後方側においてリフレクタ１６側に張り出すように形成された構成とすることにより、コネクタ部３２ｄとの干渉を回避するためにヒートシンク２２の上面２２ａに形成される凹部２２ａ２を浅いものとすることができる。そしてこれにより、上記左右２箇所の締結位置の内側にコネクタ部３２ｄが配置されることによってヒートシンク２２の放熱機能が低下してしまうのを効果的に抑制することができる。
【００７３】
さらに本実施形態においては、給電アタッチメント３０のコネクタ部３２ｄが、左右２箇所の締結位置の中心位置に形成されているので、本実施形態に係る車両用灯具１００のように左右１対の灯具ユニット１０が用いられるような場合であっても、両灯具ユニット１０相互間で給電アタッチメント３０を共通化することが容易に可能となる。
【００７４】
また本実施形態においては、リフレクタ１６がその左右２箇所においてヒートシンク２２に締結されており、かつ、このリフレクタ１６には、その左右２箇所の締結位置よりもユニット後方側に位置する部位に、ヒートシンク２２に当接する当接部１６ｅが形成されているので、ヒートシンク２２によるリフレクタ１６の支持を３点支持構造によって行うことができ、これによりリフレクタ１６の位置決め精度を高めることができる。
【００７５】
さらに本実施形態においては、ヒートシンク２２の上面２２ａにおける左右１対の上方突出面２２ａ３の前端部に、レンズホルダ２４に当接する当接部２２ｄがそれぞれ形成されているので、ヒートシンク２２によるレンズホルダ２４の支持を４箇所において行うことができ、これにより投影レンズ１２の位置決め精度を高めることができる。
【００７６】
また本実施形態においては、発光素子１４がヒートシンク２２の上面２２ａに搭載された構成となっており、かつ、この上面２２ａにおいて発光素子１４を搭載する光源支持領域２２ａ１がその周辺領域と共にユニット後方へ向けて下方側に傾斜した傾斜面で構成されているので、その傾斜分だけ灯具ユニット１０の前後長を短くすることができる。また、このような構成を採用することにより、発光素子１４からの出射光のリフレクタ１６への入射効率を高めることが可能となる。
【００７７】
さらに本実施形態においては、レンズホルダ２４が、ホルダ本体２４Ａと左右１対のアーム部２４Ｂと連結部２４Ｃとによって閉じたフレーム状に形成されているので、その剛性を高めることができ、これにより左右１対のネジ挿通孔２４ｄの位置関係精度を高めることができる。
【００７８】
上記実施形態においては、給電アタッチメント３０のコネクタ部３２ｄ全体がリフレクタ１６の後端位置よりもユニット後方側に位置しているものとして説明したが、コネクタ部３２ｄの一部分のみがリフレクタ１６の後端位置よりもユニット後方側に位置する構成を採用することも可能である。
【００７９】
上記実施形態においては、灯具ユニット１０がリフレクタ１６を備えたプロジェクタ型の灯具ユニットである場合について説明したが、パラボラ型の灯具ユニット等に上記実施形態の構成を採用することも可能である。
【００８０】
上記実施形態においては、灯具ユニット１０が車載用の灯具ユニットであるものとして説明したが、車載用以外の用途に用いることも可能である。
【００８１】
次に、上記実施形態の変形例について説明する。
【００８２】
まず、上記実施形態の第１変形例について説明する。
【００８３】
図６は、本変形例に係る灯具ユニット１１０の要部を示す、図３と同様の図である。
【００８４】
同図に示すように、本変形例の基本的な構成は上記実施形態の場合と同様であるが、本変形例においては給電アタッチメント１３０の構成が上記実施形態の場合と一部異なっている。
【００８５】
すなわち、本変形例の給電アタッチメント１３０も、その絶縁部材１３２のコネクタ部１３２ｄがリフレクタ１６の後端位置よりもユニット後方側まで延びるように形成されているが、このコネクタ部１３２ｄは、リフレクタ１６の後端位置よりもユニット後方側において上方側にのみ張り出すように（すなわちリフレクタ１６側にのみ張り出すように）形成されている。
【００８６】
このため、ヒートシンク１２２の上面１２２ａには、上記実施形態のヒートシンク２２においてコネクタ部３２ｄとの干渉を回避するために形成されている凹部２２ａ２が形成されていない。
【００８７】
本変形例の構成を採用することにより、給電アタッチメント１３０とヒートシンク１２２との左右２箇所の締結位置の内側にコネクタ部１３２ｄが配置されているにもかかわらず、ヒートシンク１２２の放熱機能が低下してしまうのを一層効果的に抑制することができる。
【００８８】
次に、上記実施形態の第２変形例について説明する。
【００８９】
図７は、本変形例に係る灯具ユニット２１０の要部を示す、図３と同様の図である。
【００９０】
同図に示すように、本変形例の基本的な構成は上記実施形態の場合と同様であるが、本変形例においては給電アタッチメント２３０の構成が上記実施形態の場合と一部異なっている。
【００９１】
すなわち、本変形例の給電アタッチメント２３０も、その絶縁部材２３２のコネクタ部２３２ｄがリフレクタ１６の後端位置よりもユニット後方側まで延びるように形成されているが、このコネクタ部２３２ｄは下方へ向けて開口するように形成されている。
【００９２】
このため、ヒートシンク２２２の後部には、コネクタ部２３２ｄとの干渉を回避するための切欠き部２２２ｅが形成されている。
【００９３】
本変形例の構成を採用することにより、給電アタッチメント２３０のコネクタ部２３２ｄに対する給電用配線のコネクタの接続作業が下方から行われることとなるので、その接続作業を行うためのスペースを灯室内において容易に確保することができる。
【００９４】
上記実施形態およびその変形例において諸元として示した数値は一例にすぎず、これらを適宜異なる値に設定してもよいことはもちろんである。
【００９５】
また、本願発明は、上記実施形態およびその変形例に記載された構成に限定されるものではなく、これ以外の種々の変更を加えた構成が採用可能である。
【符号の説明】
【００９６】
１０、１１０、２１０  灯具ユニット
１２  投影レンズ
１４  発光素子
１４ａ  発光面
１６  リフレクタ
１６ａ  反射面
１６ｂ  フランジ部
１６ｃ  係合孔
１６ｄ、２４ｄ  ネジ挿通孔
１６ｅ、２２ｄ  当接部
１８  可動シェード
１８ａ  上端縁
２０  光源支持部材
２０ａ  端子部
２２、１２２、２２２  ヒートシンク
２２ａ、１２２ａ  上面
２２ａ１  光源支持領域
２２ａ２  凹部
２２ａ３  上方突出面
２２ｂ、２４ｂ  位置決めピン
２２ｃ  放熱フィン
２４  レンズホルダ
２４Ａ  ホルダ本体
２４Ｂ  アーム部
２４Ｂａ  載置面
２４Ｃ  連結部
２６  回動ピン
２８  アクチュエータ
３０、１３０、２３０  給電アタッチメント
３２、１３２、２３２  絶縁部材
３２ａ  開口部
３２ｂ  フランジ部
３２ｃ  係合孔
３２ｄ、１３２ｄ、２３２ｄ  コネクタ部
３２ｄ１  矩形孔
３２ｄ２  凹部
３４  バスバー電極
３４ａ  端子片
３４ｂ  押え片
３４ｃ  端子ピン
４０、４２  ネジ
１００  車両用灯具
１０２  ランプボディ
１０４  透光カバー
２２２ｅ  切欠き部
Ａｘ  光軸
Ｆ  後側焦点
【図１】
2020184444.tif 000003
【図２】
2020184444.tif 000004
【図３】
2020184444.tif 000005
【図４】
2020184444.tif 000006
【図５】
2020184444.tif 000007
【図６】
2020184444.tif 000008
【図７】
2020184444.tif 000009